(57)【特許請求の範囲】
【請求項１】
テーパ管内を流通する空気の流量に応じてテーパ管内を上下自在に浮動するフロートを設け、このフロートの高さ位置をテーパ管に設けた目盛で視認することにより測定値を得る空気マイクロメータにおいて、この目盛を設けたテーパ管を保護する円筒状防護筒体の内側円弧部に明色のフィルムを接着、又は塗装若しくは構造材の表面処理による反射膜層を設け、作業室内の自然光がこの反射膜面に反射してテーパ管の目盛近辺に焦点を結び、テーパ管の目盛及びフロート位置の視認性が向上することを特徴とする流量式空気マイクロメータの目盛照明方法。
【請求項２】
請求項１に記載の流量式マイクロメータの目盛照明方法であって、前記反射膜層を、テーパ管を保護する円筒状防護筒体の内周から独立して設け、反射光がテーパ管の目盛近辺に焦点を結ぶことを特徴とする流量式空気マイクロメータの目盛照明方法。
【請求項３】
請求項１または請求項２に記載の流量式空気マイクロメータの目盛照明方法であって、反射膜層の断面形状が円弧面以外であって、反射光が目盛近辺に焦点を結ぶことを特徴とする流量式空気マイクロメータの目盛照明方法。
【請求項４】
請求項１、請求項２または請求項３に記載の流量式空気マイクロメータの目盛照明方法であって、テーパ管を保護する円筒状防護筒体の内部に光源を設け、光源からの照明光を前記反射膜に反射させテーパ管の目盛近辺に焦点を結ばせることにより、作業室内の自然照明が暗い場合であってもテーパ管およびフロート位置の視認性が向上することを特徴とする流量式空気マイクロメータの目盛照明方法。
【発明の詳細な説明】
【技術分野】
【０００１】  本発明は、空気供給源から供給された空気をテーパ管を介して測定ヘッドを有する測定部へと排出して測定ヘッドから被測定部（被測定面）に向けて空気を排出すると共に、その際の前記テーパ管内のフロートの高さ位置によって測定値を得る流量式空気マイクロメータの、目盛部の照明に関するものである。
【背景技術】
【０００２】  この空気マイクロメータの要部は立設したガラス製テーパ管と、その内部を上下するフロートからなり、フロートの高さ位置を読み取るための目盛が、ガラス製テーパ管の外周に設けられているものである。【０００３】  しかしフロートの高さ位置をガラス管の目盛で視認して読み取るのは、一般の作業室内の照明では決して読み取りやすいものではなく、ましてガラス管の外周辺にガラス管を保護するための保護筒体を設けた場合は、読み取り専用の光源（照明）の設置が必要とされるなど、操作上の難点を有していた。
【発明の開示】
【発明が解決しようとする課題】
【０００４】  本発明は前記の欠点を解決するため、ガラス管の防護筒体を設けてガラス管を保護し、かつスリムな形態を維持するとともに、専用の内部光源や外部光源（照明）を設置することなく、作業室内の一般照明（自然光源）でも視認性が良好で、目盛の読み取りが容易な照明法およびその構造を提供しようとするものである。
【課題を解決するための手段】
【０００５】  以下「特願２００５−２９４５５９  流量式空気マイクロメータ」を例に、添付図面を参照しながら本発明の要旨を説明する。【０００６】  例示するマイクロメータの本体部Ａには、空気供給源と連結する供給側継ぎ手、測定部と連結する排出側継ぎ手、レギュレータなどの空気圧や流量調整装置が設置してある（これらの作用や目的は公知の技術であるので説明は省略する）。【０００７】  本体の上部には、内部に浮動上下するフロート１４を有する透明ガラス管５（内部テーパ管）を立設し、その外側には透明ガラス製外管８、更に外側にはガラス管の防護筒体１２が、それぞれ本体Ａに立設して設けてある。【０００８】  本例ではテーパガラス管５と透明ガラス製外管８とが二重管構造となっていて、両者の間隙ｓが排出側の空気通路となっているが、通常の公知の空気マイクロメータと同じく排出側空気通路を透明ガラス製外管８とは別に設け、透明ガラス製外管８を省略しても本発明の構成には関係しない。【０００９】  保護筒体１２には、フロート１４の上下位置を視認するための窓１３が切られており、フロート１４の遊動するテーパガラス管５にはフロート位置を読み取るための目盛５ａが刻設されている。【００１０】  保護筒体１２の円筒部内周には、切り欠き窓部分１３を除き、テーパ管５の目盛範囲に明色のフィルム１２ａが接着されている。
【発明の効果】
【００１１】  本発明は上述のように構成してあるから、空気マイクロメータを作業室内に設置した場合、室内の自然光が防護筒体の切り欠き窓１３から防護筒体１２の内部に浸入し、フィルム１２ａで反射されてテーパ管目盛５ａ近辺で焦点を結ぶことにより、結果として目盛を明るく照明するものである。【００１２】  また構造上、内部光源やバックライト照明を設けずとも明るい視認性のよい照明が得られるから、構造の簡易化による製造コスト低減と装置自体の小型化、スリム化を図ることができる。【００１３】  また公知のバックライト照明ではその欠点として、外部く例えば作業室内のスポット照明）に強い光源があってバックライト面に入射した場合、視認性の低下が生じるが、本発明の場合その恐れはない。
【実施例】
【００１４】  本発明の実施例について、「特願２００５−２９４５５９  流暈式空気マイクロメータ」に実施した場合について、第一の実施例として説明する。【００１５】  本発明は前述のように、明色のフィルム１２ａにより反射光を目盛部近辺に集中し、目盛とフロート位置関係の視認性を高めようとするものである。【００１６】  したがって明色フィルムによる反射光のほぼ焦点位置に目盛部の来ることが望ましく、防護筒体１２の内周のほぼ断面中央にテーパ管の目盛５ａが位置するように構成する。【００１７】  また明色フィルムの色は、テーパ管の目盛５ａとの関連で視認性の良い組み合わせがよく、目盛５ａの色調を黒色とすれば明色フィルムの色は黄色が望ましいが、この組み合わせに拘泥するものではない。【００１８】  またこの実施例では、光線の反射面を明色フィルムの接着によるものとして説明したが、反射面はフィルム面と同等の反射効果があればよく、構造材への塗装や表面処理によって反射面を構成しても何ら差し支えはない。【００１９】  図５は特許請求の範囲「請求項２」に対応する第二の実施例であって、この場合は明色の反射フィルム又は塗装膜若しくは構造材の表面処理膜２２ａおよびその補強構造材は保護筒体２２の内周から独立して設けてあり、反射膜層２２ａと保護筒体２２間の空隙には空気流路等の構成部品を配置することができる。【００２０】  更に図６は特許請求の範囲「請求項３」に対応する第三の実施例であって、前記の反射膜層が円弧面以外であって、目盛５ａ近辺に反射光線を集中しようというものである。【００２１】  更に図７は特許請求の範囲「請求項４」に対応する第四の実施例であって、テーパ管を保護する円筒状防護筒体の内部に光源を設け、光源からの照明光を前記反射膜に反射させ、テーパ管の目盛近辺に焦点を結ばせようとするもので、作業室内の自然照明が暗い場合であってもテーパ管およびフロート位置の視認性が向上することを特徴とするものである。【００２２】  なお、本発明は、本実施例に限られるものではなく、各構成要件の具体的構成は適宜設計し得るものである。
【図面の簡単な説明】
【００２３】
【図１】本第一実施例に係わる流量式空気マイクロメータの説明正断面図である。
【図２】本第一実施例に係わる流量式空気マイクロメータの概略斜視図である。
【図３】本第一実施例に係わる流量式空気マイクロメータの分解斜視図である。
【図４】本第一実施例に係わる流量式空気マイクロメータのＸ−Ｘ断面図であり、照明光線の経路の概要を示すものである。
【図５】本第二実施例に係わる流量式空気マイクロメータの、テーパ管部の断面図である。
【図６】本第三実施例に係わる流量式空気マイクロメータの、テーパ管部の断面図である。
【図７】本第四実施例に係わる流量式空気マイクロメータの説明正断面図である。
【図８】本第四実施例に係わる流量式空気マイクロメータのＹ−Ｙ断面図であり、設置された内部光源の一例を示すものである。
【符号の説明】
【００２４】  ５      テーパ管
５ａ    テーパ管の目盛
８      外管
１２    防護筒体
１２ａ  防護筒体内周部の反射膜層
１３    窓穴
１４    フロート
２２    第二実施例における防護筒体
２２ａ  第二実施例における防護筒体内側の反射膜層および補強構造材
３２    第三実施例における防護筒体
３２ａ  第三実施例における防護筒体内側の反射膜層および補強構造材
４２    第四実施例における防護筒体
４２ａ  第四実施例における防護筒体内周部の反射膜層
４２ｂ  内部光源
Ａ      本体部
ｓ      テーパ管と外管との空隙部
ｒ      室内照明自然光とフィルム面反射光の流れ経路概念
【図１】
0004831311.tif 000002
【図２】
0004831311.tif 000003
【図３】
0004831311.tif 000004
【図４】
0004831311.tif 000005
【図５】
0004831311.tif 000006
【図６】
0004831311.tif 000007
【図７】
0004831311.tif 000008
【図８】
0004831311.tif 000009